(57)【要約】【課題】直流回路の損失を低減して、高効率な電力変換装置を提供する。【解決手段】実施形態に係る電力変換装置は、スイッチング素子を有し、前記スイッチング素子のスイッチングにより、交流電力から直流電力への変換、および直流電力から交流電力への変換の少なくとも一方を行い、直流側で並列接続され一列に配列された複数の変換器と、前記複数の変換器の直流側に接続された第１共通線と、前記複数の変換器の直流側に接続され、前記第１共通線よりも低電位に設定される第２共通線と、前記第１共通線と前記第２共通線との間に接続された蓄電部と、を備える。前記蓄電部は、前記複数の変換器のうち端部の変換器に隣接して配置される。【選択図】図１
2019176566.tif 000002
【特許請求の範囲】
【請求項１】
スイッチング素子を有し、前記スイッチング素子のスイッチングにより、交流電力から直流電力への変換、および直流電力から交流電力への変換の少なくとも一方を行い、直流側で並列接続され、一列に配列された複数の変換器と、
前記複数の変換器の直流側に接続された第１共通線と、
前記複数の変換器の直流側に接続され、前記第１共通線よりも低電位に設定される第２共通線と、
前記第１共通線と前記第２共通線との間に接続された蓄電部と、
を備え、
前記蓄電部は、前記複数の変換器のうち端部の変換器に隣接して配置された電力変換装置。
【請求項２】
前記蓄電部は、第１蓄電部および第２蓄電部を含み、
前記複数の変換器は、前記第１蓄電部と前記第２蓄電部との間に配置された請求項１記載の電力変換装置。
【請求項３】
前記複数の変換器は、第１配線を介して、前記第１共通線とそれぞれ接続され、
前記複数の変換器は、第２配線を介して、前記第２共通線とそれぞれ接続され、
すべての前記第１配線は、前記第１共通線の第１部分で接続され
すべての前記第２配線は、前記第２共通線の第２部分で接続され、
前記蓄電部は、前記第１部分および前記第２部分よりも端部側の第３部分で電気的に接続された請求項１または２に記載の電力変換装置。
【請求項４】
前記第１配線の間に設けられ、かつ、前記複数の変換器のうち前記蓄電部に隣接する変換器に接続された前記第１配線と前記蓄電部との間にそれぞれ設けられた複数の第１抵抗器と、
前記第２配線の間に設けられ、かつ、前記複数の変換器のうち前記蓄電部に隣接する変換器に接続された前記第２配線と前記蓄電部との間にそれぞれ設けられた複数の第２抵抗器と、
をさらに備えた請求項１〜３のいずれか１つに記載の電力変換装置。
【請求項５】
前記複数の変換器は、交流の各相に応じて設けられた請求項１〜４のいずれか１つに記載の電力変換装置。
【請求項６】
前記複数の変換器は、交流側で複数組が並列に接続され、
前記蓄電部は、隣接して配置された前記複数組の間に配置された請求項５記載の電力変換装置。
【発明の詳細な説明】
【技術分野】
【０００１】
本発明の実施形態は、電力変換装置に関する。
【背景技術】
【０００２】
複数の変換器を並列に接続した並列多重型の電力変換装置がある。各変換器は、スイッチング素子を有し、スイッチング素子のスイッチングにより、交流電力から直流電力への変換、および直流電力から交流電力への変換の少なくとも一方を行う。各変換器の直流側には、電荷蓄積素子であるコンデンサが設けられる。各コンデンサは、直流ブスバーを介して、変換器とともにそれぞれ並列に接続される。
【０００３】
並列多重型の電力変換装置では、交流電力の１つの線路に対して複数の変換器を並列に接続することにより、スイッチング素子の高耐圧化を抑えつつ、大容量化に対応することができる。
【０００４】
複数の変換器を並列に接続した場合には、変換器間に、交流電圧の基本周波数の２倍の周波数の高調波電流が流れる。この高調波電流は、直流ブスバーに流れるので、その電流経路が長くなると、直流ブスバーでの損失が増大する。そのため、直流ブスバーの電流容量を必要以上に大きく設定する必要があり、また、電力変換装置の変換効率を低下させる原因ともなっている。
【先行技術文献】
【特許文献】
【０００５】
【特許文献１】特開２００５−１０２４４４号公報
【発明の概要】
【発明が解決しようとする課題】
【０００６】
本発明の実施形態は、直流回路の損失を低減して、高効率な電力変換装置を提供する。
【課題を解決するための手段】
【０００７】
本発明の実施形態によれば、スイッチング素子を有し、前記スイッチング素子のスイッチングにより、交流電力から直流電力への変換、および直流電力から交流電力への変換の少なくとも一方を行い、直流側で並列接続され一列に配列された複数の変換器と、前記複数の変換器の直流側に接続された第１共通線と、前記複数の変換器の直流側に接続され、前記第１共通線よりも低電位に設定される第２共通線と、前記第１共通線と前記第２共通線との間に接続された蓄電部と、を備える。前記蓄電部は、前記複数の変換器のうち端部の変換器に隣接して配置される。
【発明の効果】
【０００８】
直流回路の損失を低減して、高効率な電力変換装置が提供される。
【図面の簡単な説明】
【０００９】
【図１】実施形態に係る電力変換装置を例示するブロック図である。
【図２】実施形態に係る変換器を例示するブロック図である。
【図３】図３（ａ）および図３（ｂ）は、変換器および蓄電部の配置を例示する模式図である。
【図４】比較例の電力変換装置を模式的に表すブロック図である。
【００１０】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１１】
図１は、実施形態に係る電力変換装置を模式的に表すブロック図である。  
図１に表したように、電力変換装置１０は、複数の変換器２０と、第１共通線３１と、第２共通線３２と、複数の第１配線４１と、複数の第２配線４２と、と、配線４３〜４６と、蓄電部６２ａ，６２ｂと、を備える。
【００１２】
また、電力変換装置１０は、第１交流端子６０ｕと、第２交流端子６０ｖと、第３交流端子６０ｗと、を有する。電力変換装置１０は、各交流端子６０ｕ，６０ｖ，６０ｗを介して交流回路１に接続される。交流回路１は、電力系統や交流電源、交流送電線、交流負荷等を含むことができる。この例において、交流回路１は、交流の電力系統であり、交流電力は、三相交流電力である。各交流端子６０ｕ，６０ｖ，６０ｗは、電力系統の各相の線路のそれぞれに接続される。
【００１３】
各変換器２０は、インダクタ６４を介して各交流端子６０ｕ，６０ｖ，６０ｗのいずれかと接続されている。各変換器２０は、各交流端子６０ｕ，６０ｖ，６０ｗから供給された交流電力を直流電力に変換する。
【００１４】
蓄電部６２ａ，６２ｂは、各変換器２０の直流側に設けられている。蓄電部６２ａ，６２ｂは、各変換器２０によって変換された直流電力を貯蔵する。蓄電部６２ａ，６２ｂには、たとえば、電荷蓄積素子や二次電池などが用いられる。各変換器２０は、蓄電部６２ａ，６２ｂに貯蔵された直流電力を交流電力に変換し、変換後の交流電力を交流電力系統に供給する。
【００１５】
このように、各変換器２０は、交流電力から直流電力への変換、および直流電力から交流電力への変換を行う。これにより、電力変換装置１０は、たとえば、交流電力系統の変動を抑制する。なお、各変換器２０は、双方向の変換を行うものに限ることなく、交流電力から直流電力への変換、および直流電力から交流電力への変換の一方のみを行うものでもよい。
【００１６】
各変換器２０は、第１直流端子２０ａと、第２直流端子２０ｂと、交流端子２０ｃと、を有する。第２直流端子２０ｂの電位は、第１直流端子２０ａの電位よりも低い。各変換器２０に入力される直流電力または各変換器２０から出力される直流電力に対し、第１直流端子２０ａは、高電位側の端子であり、第２直流端子２０ｂは、低電位側の端子である。
【００１７】
各変換器２０は、交流端子２０ｃを介してインダクタ６４および各交流端子６０ｕ，６０ｖ，６０ｗのいずれかと接続される。
【００１８】
複数の変換器２０は、変換器２１〜２３である。変換器２１は、第１交流端子６０ｕに接続されている。変換器２２は、第２交流端子６０ｖに接続されている。変換器２３は、第３交流端子６０ｗに接続されている。
【００１９】
第１共通線３１は、各変換器２１〜２３の直流側に設けられる。第２共通線３２は、各変換器２１〜２３の直流側に設けられ、第１共通線３１よりも低電位に設定される。
【００２０】
第１共通線３１および第２共通線３２は、直流ブスバーであり、たとえば、それぞれの長さ方向にわたって、同じ導電材料で形成され、ほぼ同じ幅および厚さを有している。つまり、第１共通線３１および第２共通線３２は、単位長さ当たりの抵抗値（抵抗率）はほぼ一定である。
【００２１】
変換器２１〜２３は、ほぼ一列に配列されている。変換器２１〜２３は、一列に配列されるとは、一直線上に配置されている必要はなく、１つの変換器に他の変換器が隣接して配置されていることを含む。より、具体的には、一列に配置された変換器とは、変換器２１に隣接して変換器２２が配置され、変換器２２に隣接して変換器２３が配置されるように配列されていることを含むものとする。
【００２２】
変換器２１〜２３は、直流ブスバーの中央部（第１部分）Ｃにおいて、第１配線４１および第２配線４２に電気的に接続されている。直流ブスバーは両端に端部（第２部分）Ｔａ，Ｔｂを有する。端部Ｔａ，Ｔｂは、中央部Ｃの物理的な端である場合に限らず、後に詳述するように、第１配線４１および第２配線４２に接続された中央部Ｃに隣接し中央部Ｃよりも外側に設けられた部分であることを含む。
【００２３】
一方の端部Ｔａは、接続部３１ａ，３２ａを含む。他方の端部Ｔｂは、接続部３１ｂ，３２ｂを含む。第１共通線３１および第２共通線３２は、一方の接続部３１ａ，３２ａで、配線４３，４４を介して、蓄電部６２ａに電気的に接続される。第１共通線３１および第２共通線３２は、他方の接続部３１ｂ，３２ｂで、配線４５，４６を介して、蓄電部６２ｂに電気的に接続される。つまり、ほぼ一列に配列された変換器２１〜２３は、蓄電部６２ａ，６２ｂの間に配置されている。
【００２４】
なお、説明の便宜上、第１配線４１、第２配線４２および配線４３〜４６は、第１共通線３１および第２共通線３２とは異なる符号を用いて区別しているが、これらのすべてまたは一部は、実質的に同一の部材によって、たとえば一体として形成されていてももちろんかまわない。
【００２５】
各第１配線４１は、変換器２１〜２３と第１共通線３１とを接続する。各第２配線４２は、変換器２１〜２３と第２共通線３２とを接続する。より詳しくは、各第１配線４１は、変換器２１〜２３の第１直流端子２０ａと第１共通線３１とを接続する。各第２配線４２は、変換器２１〜２３の第２直流端子２０ｂと第２共通線３２とを接続する。
【００２６】
各電荷蓄積素子５０は、変換器２１〜２３の直流側において、第１配線４１と第２配線４２との間に接続されている。換言すれば、各電荷蓄積素子５０は、各変換器２１〜２３のそれぞれの第１直流端子２０ａと第２直流端子２０ｂとの間に接続されている。
【００２７】
このように、電力変換装置１０は、複数の変換器２１〜２３の直流側を並列に接続した電力変換装置である。
【００２８】
各第１抵抗器５１は、各第１配線４１のそれぞれの間に配置されるように、第１共通線３１に設けられている。また、第１抵抗器５１は、接続部３１ａにもっとも近い位置に配置されている変換器２１に接続された第１配線４１と配線４３との間に配置されるように、第１共通線３１に設けられている。第１抵抗器５１は、接続部３１ｂにもっとも近い位置に配置された変換器２３に接続されている第１配線４１と配線４５との間に配置されるように、第１共通線３１に設けられている。各第１抵抗器５１は、第１共通線３１に直列接続されて設けられている。
【００２９】
各第２抵抗器５２は、各第２配線４２のそれぞれの間に配置されるように、第２共通線３２に設けられている。また、第２抵抗器５２は、接続部３２ａにもっとも近い位置に配置された変換器２１に接続されている第２配線４２と配線４４との間に配置されるように、第２共通線３２に設けられている。第２抵抗器５２は、接続部３２ｂにもっとも近い位置に配置された変換器２３に接続されている第２配線４２と配線４６との間に配置されるように、第２共通線３２に設けられている。各第２抵抗器５２は、第２共通線３２に直列接続されて設けられている。
【００３０】
各第１抵抗器５１および第２抵抗器５２には、たとえば、内部に冷却水を流すための流路が設けられた水冷式の抵抗器が用いられる。各第１抵抗器５１の抵抗値および各第２抵抗器５２の抵抗値は、たとえば、数ｍΩ（１ｍΩ以上１０ｍΩ以下）である。各第１抵抗器５１の抵抗値は、各第１抵抗器５１のそれぞれにおいて実質的に同じでもよいし、異なってもよい。各第２抵抗器５２の抵抗値は、各第２抵抗器５２のそれぞれにおいて実質的に同じでもよいし、異なってもよい。
【００３１】
端部Ｔａ，Ｔｂに流れる電流は、交流電圧の基本周波数の２倍の周波数の高調波電流を含まないので、端部Ｔａ，Ｔｂ側の第１抵抗器５１および第２抵抗器は、他の第１抵抗器５１および第２抵抗器５２よりも電流容量や許容損失よりも小さく設定してもよい。
【００３２】
３台の変換器２１〜２３はすべて、蓄電部６２ａ，６２ｂの間に配置される。変換器２１〜２３が接続された第１共通線３１および第２共通線３２の中央部Ｃには、交流電圧の基本周波数の２倍の周波数を有する高調波電流が相互に流れる。第１共通線３１および第２共通線３２の端部Ｔａ，Ｔｂでは、交流電圧の基本周波数の２倍の周波数の高調波電流が流れない。このように配置することによって、交流電圧の基本周波数の２倍の周波数の高調波電流が流れる中央部Ｃの長さ（電流が流れる方向に沿う長さ）を相対的に短くすることができる。そのため、第１共通線３１および第２共通線３２の長さを抑制することができ、第１共通線３１および第２共通線３２における損失を低減することができる。
【００３３】
蓄電部をこの例のように２つに分割せずに、１つの蓄電部としてもよい。その場合には、蓄電部は、第１共通線３１および第２共通線３２のいずれかの端部Ｔａ，Ｔｂで電気的に接続される。このように１つの蓄電部とする場合には、好ましくは、蓄電部は複数の変換器２１〜２３のうち端部に配置された１つの変換器２１または変換器２３に隣接して配置される。
【００３４】
図２は、実施形態に係る変換器を模式的に表すブロック図である。  
図２に表したように、変換器２０は、直列に接続された２つのスイッチング素子１０１，１０２と、２つのスイッチング素子１０１，１０２のそれぞれに逆並列に接続された２つの整流素子１１１，１１２と、を有する。スイッチング素子１０１，１０２には、たとえば、ＩＧＢＴ（Insulated Gate Bipolar Transistor）やパワーＭＯＳＦＥＴなどのパワー半導体素子が用いられる。整流素子１１１，１１２は、いわゆる還流ダイオードである。
【００３５】
スイッチング素子１０１の一方の主端子（たとえばコレクタ）は、第１直流端子２０ａに接続されている。スイッチング素子１０１の他方の主端子（たとえばエミッタ）は、スイッチング素子１０２の一方の主端子と電気的に接続されている。スイッチング素子１０２の他方の主端子は、第２直流端子２０ｂに接続されている。スイッチング素子１０１，１０２の接続点は、交流端子２０ｃに接続されている。
【００３６】
このように、変換器２０は、２つのスイッチング素子１０１，１０２の両端を、各直流端子２０ａ，２０ｂに接続し、２つのスイッチング素子１０１，１０２の接続点を交流端子２０ｃに接続したハーフブリッジ回路である。換言すれば、変換器２０は、双方向チョッパ回路である。これにより、各変換器２０のスイッチング素子１０１，１０２のスイッチングにより、前述のように、交流電力から直流電力への変換、および直流電力から交流電力への変換を行うことができる。
【００３７】
本実施形態に係る電力変換装置１０では、変換器２１〜２３の直流側に各第１抵抗器５１および各第２抵抗器５２を設けている。並列に接続された各変換器２１〜２３では、直流側において、ＬＣ共振を生じて、第１共通線３１および第２共通線３２に共振電流が流れる場合がある。そのような場合であっても、第１抵抗器５１および第２抵抗器を設けることによって、共振電流を減衰させることができる。
【００３８】
図３（ａ）および図３（ｂ）は、変換器および蓄電部の配置を例示する模式図である。
図３（ａ）は、上述した電力変換装置１０について、変換器２０および蓄電部６２ａ，６２ｂの配置を示すために簡略化した図である。
図３（ａ）に示すように、１組の変換器２０の組は、電気的には、交流回路１と直流回路との間に接続されている。直流回路は、第１共通線３１および第２共通線３２と、蓄電部６２ａ，６２ｂを含んでいる。
【００３９】
変換器２０の組は、蓄電部６２ａ，６２ｂの間に配置されている。このような配置とするために、変換器２０の組は、第１共通線３１および第２共通線３２の中央部Ｃで電気的に接続され、蓄電部６２ａ，６２ｂは、第１共通線３１および第２共通線３２の端部Ｔａ，Ｔｂでそれぞれ電気的に接続されている。
【００４０】
変換器２０の組は、１組に限らず、複数組としてもよい。
図３（ｂ）に示すように、電力変換装置１１０は、変換器２０の組Ｐ１，Ｐ２と、蓄電部６２ａ〜６２ｃと、を備える。変換器２０の組Ｐ１は、蓄電部６２ａ，６２ｂの間に配置されている。変換器２０の組Ｐ２は、蓄電部６２ｂ，６２ｃの間に配置されている。
【００４１】
変換器２０の組Ｐ１，Ｐ２の交流側では、交流回路１のＵ相、Ｖ相およびＷ相に接続される変換器２０は、並列に接続されている。つまり、変換器２０の組Ｐ１のＵ相に接続された変換器２０と、変換器２０の組Ｐ２のＵ相に接続された変換器２０とは、交流回路１のＵ相に接続されている。Ｖ相およびＷ相についても同様である。
【００４２】
変換器２０の組Ｐ１の直流側は、第１共通線３１および第２共通線３２の第１部分Ｃ１で電気的に接続されている。蓄電部６２ａ，６２ｂは、第１共通線３１および第２共通線３２の第２部分Ｔ１，Ｔ２で電気的に接続されている。第１部分Ｃ１は、第２部分Ｔ１，Ｔ２の間に設けられている。
【００４３】
変換器２０の組Ｐ２の直流側は、第１共通線３１および第２共通線３２の第１部分Ｃ２で電気的に接続されている。蓄電部６２ｂ，６２ｃは、第１共通線３１および第２共通線３２の第２部分Ｔ２，Ｔ３で電気的に接続されている。第１部分Ｃ２は、第２部分Ｔ２，Ｔ３の間に設けられている。
【００４４】
上述の電力変換装置の例では、１組の変換器２０は、２レベルのハーフブリッジ構成によって実現されていたが（図２）、中性点クランプ方式等の多レベルのハーフブリッジでもよいし、他のシングルエンド形の変換回路であってもよい。
【００４５】
実施形態の電力変換装置１０の効果について、比較例の電力変換装置２１０の場合と比較しつつ説明する。
図４は、比較例の電力変換装置を模式的に示すブロック図である。
図４に示すように、比較例の電力変換装置２１０は、複数の変換器２１〜２３と、複数の蓄電部６２ａ，６２ｂと、を含む。一方の蓄電部６２ａは、変換器２１，２２の間に配置されている。他方の蓄電部６２ｂは、変換器２２，２３の間に配置されている。この例に示すように、変換器の台数および蓄電部の台数は、実施形態の電力変換装置１０の場合と同じであり、比較例の場合および実施形態の場合のいずれも同じ出力容量を有するものとする。
【００４６】
第１共通線１３１および第２共通線１３２は、複数の変換器２１〜２３の直流側に設けられている。
【００４７】
各第１配線４１は、変換器２１〜２３のそれぞれと第１共通線１３１とを接続する。各第２配線４２は、変換器２１〜２３のそれぞれと第２共通線１３２とを接続する。
【００４８】
蓄電部６２ａは、配線１４３，１４４を介して第１共通線１３１および第２共通線１３２のそれぞれと接続されている。蓄電部６２ｂは、配線１４４，１４５を介して、第１共通線１３１および第２共通線１３２のそれぞれと接続されている。
【００４９】
配線１４３は、隣接する第１配線４１の第１共通線１３１との接続位置の間で、第１共通線１３１と接続されている。配線１４４は、隣接する第２配線４２と第２共通線１３２との接続位置の間で、第２共通線１３２と接続されている。
【００５０】
配線１４５は、隣接する第１配線４１の第１共通線１３１との接続位置の間で、第１共通線１３１と接続されている。配線１４６は、隣接する第２配線４２の第２共通線１３２との接続位置の間で、第２共通線１３２と接続されている。
【００５１】
このように構成された比較例の電力変換装置２１０では、各蓄電部６２ａ〜６２ｂの間に変換器２０が配置されている。あるいは、変換器２０の間に蓄電部６２ａ，６２ｂが配置されている。そのため、交流電圧の基本周波数の２倍の周波数の高調波電流は、蓄電部をはさんで隣接する変換器間を流れ、蓄電部６２ａ，６２ｂに流出入する直流電流に重畳される。そのため、第１共通線１３１および第２共通線１３２の全長Ｌにわたって大きな電流が流れるので、第１共通線１３２および第２共通線１３２の損失が大きくなる。また、変換器２０の間に蓄電部６２ａ，６２ｂが配置されているため、第１共通線１３１および第２共通線１３２の全長Ｌが長くなり、第１共通線１３１および第２共通線１３２の抵抗値が大きくなることによる損失も大きくなる。したがって、電力変換装置２１０の変換効率が低下する。
【００５２】
これに対して、実施形態の電力変換装置１０では、蓄電部６２ａ，６２ｂの間にすべての変換器２０を配置するので、隣接して配置された変換器２０間の距離が短くなる。そのため、第１共通線３１および第２共通線３２の中央部Ｃの長さを短くすることができるので、第１共通線３１および第２共通線３２の長さ方向の抵抗値を小さくして、損失を抑制することができる。
【００５３】
第１共通線３１および第２共通線３２の端部Ｔａ，Ｔｂでは、交流電圧の基本周波数の２倍の周波数の高調波電流が流れないので、第１共通線３１および第２共通線３２に流れる電流値自体が小さくなる。そのため、第１共通線３１および第２共通線３２の端部Ｔａ，Ｔｂにおける損失を小さくすることができる。
【００５４】
上述より、第１共通線３１および第２共通線３２における損失を小さくすることによって、電力変換装置１０の変換効率を向上させることができる。
【００５５】
さらに、第１共通線３１および第２共通線３２の端部Ｔａ，Ｔｂでは、流れる電流値が小さくなるので、蓄電部６２ａに隣接する変換器２０の第１配線４１と配線４３との間に接続された第１抵抗器５１、および、蓄電部６２ｂに隣接する変換器２０の第１配線４１と配線４５との間に接続された第１抵抗器５１の電流容量や許容損失も、他の第１抵抗器５１の電流容量や許容損失よりも小さくすることができる。
【００５６】
同様に、蓄電部６２ａに隣接する変換器２０の第２配線４２と配線４４との間に接続された第２抵抗器５２、および、蓄電部６２ｂに隣接する変換器２０の第２配線４２と配線４６との間に接続された第２抵抗器５２の電流容量や許容損失も、他の第２抵抗器５２の電流容量や許容損失よりも小さくすることができる。
【００５７】
以上より、直流回路の損失を低減して、高効率な電力変換装置を実現することができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…交流回路、１０，１１０，２１０…電力変換装置、２０〜２３…変換器、３１…第１共通線、３２…第２共通線、４１…第１配線、４２…第２配線、４３〜４６…配線、５０…電荷蓄積素子、５１…第１抵抗器、５２…第２抵抗器、６０ｕ…第１交流端子、６０ｖ…第２交流端子、６０ｗ…第３交流端子、６２ａ，６２ｂ…蓄電部、６４…インダクタ、１０１〜１０６…スイッチング素子、１１１〜１１６…整流素子
【図１】
2019176566.tif 000003
【図２】
2019176566.tif 000004
【図３】
2019176566.tif 000005
【図４】
2019176566.tif 000006